(57)【要約】【課題】  子供用施設でバッグや被服をかけるフック群を不使用時には各箱内に収納かつ係止して安全性を高める。【解決手段】  横長にした細長板１に複数個の有底細長孔１０を並設する。有底細長孔１０の頂部にバネ受入溝１１を連設する。無蓋箱２を複数個形成する。無蓋箱２の底板２０の下方に透孔２２を穿設する。無蓋箱２の頂部にスリット２４、２４を入れて板バネ部２５を形成する。板バネ部２５の内面に凸起２６を突設する。ハンガー腕３の上方に段部３０を形成し、下方に爪部３１を突設する。ハンガー腕３端を弧状にして突部３２を形成する。ハンガー腕３の頂部に凸起３３を設ける。無蓋箱２に突部３２を除く本体３ａを嵌入するとともにハンガー腕３の下方を無蓋箱２に回動自在に軸着してハンガー腕３を開閉自在にする。無蓋箱２を有底細長孔１０に嵌入する。凸起２６、３３とを係脱自在にし、爪部３１を底板２０の下端面２０ａに係脱自在にする。【選択図】        図２
2008012145.tif 000002
【特許請求の範囲】
【請求項１】
横長にした細長板に複数個の有底細長孔を垂直にかつ間隔をおいて並設し、前記各有底細長孔の頂部にバネ受入溝を連設し、また細長状の無蓋箱をプラスチックで複数個形成し、前記各無蓋箱の底板の上方にねじ挿通孔を貫通するとともに下方に透孔を穿設し、前記無蓋箱の周壁の頂部に間隔をおいて１対のスリットを入れて板バネ部を形成し、前記板バネ部の内面に第１の凸起を突設し、さらに細長状のハンガー腕をプラスチックで複数個形成し、前記各ハンガー腕の内向面の上方に段部を形成するとともに下方に爪部を突設し、前記ハンガー腕の前面端を弧状に形成して突部を一体形成し、前記各ハンガー腕の頂部に第２の凸起を突設し、前記無蓋箱内に前記ハンガー腕の前記突部を除く本体を嵌入するとともに前記ハンガー腕の下方を前記無蓋箱に回動自在に軸着して前記ハンガー腕を開閉自在にし、また前記無蓋箱を前記各有底細長孔に嵌入するとともに前記ねじ挿通孔を介して前記細長板にねじ止めし、前記第１と第２の凸起とを係脱自在にするとともに前記爪部を前記底板の下端面に係脱自在に形成することを特徴とする子供用施設におけるハンガー板。
【請求項２】
突部をハンガー腕の前面上端に一体形成し、前記突部の頂部に指掛けを形成したことを特徴とする請求項１の子供用施設におけるハンガー板。
【発明の詳細な説明】
【技術分野】
【０００１】
本発明は幼稚園、保育所、小学校等の子供用施設で用いられ、多人数の子供達が各自のバッグや被服等を掛けることができるハンガー板に関する。
【背景技術】
【０００２】
従来から多数個の針金状金属フックや「Ｊ」の字形のプラスチック製フック等、線状のフックを細長板に固定的に、若しくは首振り自在に取り付けたハンガー板が知られている。そしてこのハンガー板を壁に取り付けたり、スタンドに取り付けたりしている。
【０００３】
【特許文献１】なし
【発明の開示】
【発明が解決しようとする課題】
【０００４】
従来例中、フックを固定したものは不使用時でもフックが空間に突出した状態であり、安全性に欠ける。首振り状にしたものでもフックが線状である以上、完全に安全と断定し切ることはむずかしく、しかも地震等の振動によりフックが突出しないとも限らない。
【０００５】
本発明は前記の欠点を解決し、安全で、取扱い易いフック板を提供できるようにすることを課題とする。
【課題を解決するための手段】
【０００６】
第１に本発明は、横長にした細長板に複数個の有底細長孔を垂直にかつ間隔をおいて並設し、前記各有底細長孔の頂部にバネ受入溝を連設し、また細長状の無蓋箱をプラスチックで複数個形成し、前記各無蓋箱の底板の上方にねじ挿通孔を貫通するとともに下方に透孔を穿設し、前記無蓋箱の周壁の頂部に間隔をおいて１対のスリットを入れて板バネ部を形成し、前記板バネ部の内面に第１の凸起を突設し、さらに細長状のハンガー腕をプラスチックで複数個形成し、前記各ハンガー腕の内向面の上方に段部を形成するとともに下方に爪部を突設し、前記ハンガー腕の前面端を弧状に形成して突部を一体形成し、前記各ハンガー腕の頂部に第２の凸起を突設し、前記無蓋箱内に前記ハンガー腕の前記突部を除く本体を嵌入するとともに前記ハンガー腕の下方を前記無蓋箱に回動自在に軸着して前記ハンガー腕を開閉自在にし、また前記無蓋箱を前記各有底細長孔に嵌入するとともに前記ねじ挿通孔を介して前記細長板にねじ止めし、前記第１と第２の凸起とを係脱自在にするとともに前記爪部を前記底板の下端面に係脱自在に形成することを特徴とするものである。
【０００７】
第２に本発明は第１の本発明において、突部をハンガー腕の前面上端に一体形成し、前記突部の頂部に指掛けを形成したことを特徴とするものである。
【発明の効果】
【０００８】
請求項１の本発明によれば、本来単品のフックを多人数分、ひとまとめにでき、子供用施設に適合することは勿論、従来のフックに該当するハンガー腕がプラスチック製で、しかも無蓋箱内に嵌入する大きさ、つまり蓋的機能を有し、線状ではなく、ハンガー腕の前面が弧状で、安全であり、ハンガー腕が開いて前方に斜めに突出する場合には爪部が底板の下端面に確実に係止して開放角度を一定に保持することができ、しかもハンガー腕を指で押すだけで第１および第２の凸起が確実に係合し、震動等によりハンガー腕がとび出ることがなく安全性が高いものであり、また各ハンガー腕をプラスチックにより容易、迅速かつ安価に製造することができる。
【０００９】
請求項２の本発明によれば、突部の頂部に指掛けを有するので僅かな力で第１および第２の凸起の係合を解き、ハンガー腕を極めて容易かつ迅速に斜め上方に突出させてフックとしての使用状態にすることができる。
【発明を実施するための最良の形態】
【００１０】
木材で形成した細長板１の前面全周を図３で示すように面取りして弧状に形成し、細長板１を横長状態にし、例えば２０〜４０個の有底細長孔１０、１０、１０・・・をそれぞれ垂直にして縦長に形成し、しかも多数個の有底細長孔１０、１０、１０・・・を一定の間隔をおいて並設するとともに細長板１の前面両端および中間に複数個の壁取付孔４を貫通する。
【００１１】
各有底細長孔１０の頂部に、後述する板バネ部２５が開方向に変位したときに板バネ部２５を受け入れることができる受入溝１１を連設する。
【００１２】
一方、細長状の無蓋箱２、２、２・・・をプラスチック例えばＡＢＳ樹脂により多数個形成し、各無蓋箱２の開口端に外向鍔板２７を一体形成する。
【００１３】
各無蓋箱２の底板２０の上方にねじ挿通孔２１を貫通するとともに下方に透孔２２を穿設する。
【００１４】
各無蓋箱２の周壁２３の頂部に間隔をおいて１対のスリット２４、２４を入れて常時は閉じ方向に付勢する板バネ部２５を形成するとともに下方両側に回動軸２８を取付ける挿通孔２９、２９を穿設する。
【００１５】
板バネ部２５の内面に板バネ部２５幅と同幅の凸条からなる第１の凸起２６を一体的に突設する。
【００１６】
無蓋箱２、２、２・・・の蓋を兼ねる細長状のハンガー腕３、３、３・・・をプラスチック例えばＡＢＳ樹脂により多数個形成する。
【００１７】
各ハンガー腕３の内向面の上方に段部３０を形成して突片３５を形成するとともに下端にハンガー腕３幅と同幅の爪部３１を一体的に形成する。なお突片３５内の孔３５ａは材料逃げ用の孔である。
【００１８】
各ハンガー腕３の前面上端を弧状に形成して突部３２を一体形成し、各ハンガー腕３の頂部および下端面を弧状に形成し、前記頂部に前記第１の凸起２６に係合する第２の凸起３３を横方向に、かつ断面凸弧状に一体形成し、突部３２の頂部に凹弧状の指掛け３４を形成し、各ハンガー腕３の下方周壁に回動軸２８を取付ける挿通孔３６を貫通する。
【００１９】
各無蓋箱２内にハンガー腕３の突部３２を除く本体３ａを嵌入（図３の仮想線参照）するとともに、挿通孔３６内に通してしかも両端を挿通孔２９、２９に止着した回動軸２８を介してハンガー腕３を回動自在、つまり無蓋箱２に対してハンガー腕３を開閉自在に軸着する。
【００２０】
各無蓋箱２を各有底細長孔１０に嵌入する。このとき有底細長孔１０の底板１２に底板２０が全面的に当接し、外向鍔板２７が有底細長孔１０の開口端に係止する。
【００２１】
各ねじ挿通孔２１に木ねじ２１ａを挿通するとともに有底細長孔１０に螺着する。
【００２２】
また各ハンガー腕３の本体３ａを各無蓋箱２内に嵌入して閉蓋する。このとき第２の凸起３３が第１の凸起２６を押し退けて図３の鎖線で示すように板バネ部２５をバネ受入溝１１に変位させ、その後図３の実線で示すように板バネ部２５の付勢力により凸起２６は復位し、第１および第２の凸起３３が確実に係合し、震動等によりハンガー腕３が斜め上方に自然に突出することがない。
【００２３】
次に各ハンガー腕３を開くには指掛け３４に指を掛け、回動軸２８を中心に頂部を回動させる。このときの回動力は板バネ部２５の付勢力より大きく、第２凸起３３は第１凸起２６を押しのけ、板バネ部２５を図３の鎖線で示すように変位させ、ハンガー腕３は突出し、板バネ２５は再度、実線状態に復位する。
【００２４】
一方、ハンガー腕３が回動して開いてゆくと爪部３１が下端面２０ａに当接して係止され、ハンガー腕３はこれ以上開くことがなく、斜め上方に突出する。
【００２５】
このハンガー腕３に子供達はバッグ、被服を引っ掛けて吊下げる。このときハンガー腕３の下方に重心がかかるので木ねじ２１ａによる固定は前記上方位置で充分である。
【００２６】
各ハンガー腕３の不使用時には凹弧状の突部３２を指で押圧すれば、前述の作用によりハンガー腕３は無蓋箱２内に嵌入し、本体３ａが没入する。
【００２７】
なお突部３２前面は凹弧状であるとともにハンガー腕３の頂部が弧状であるため安全である。
【００２８】
本発明は前記の構成および作用により前記の効果を奏することができる。
【図面の簡単な説明】
【００２９】
【図１】本発明の中間部分を省略した正面図である。
【図２】同上における一部の部材を外した部分拡大正面図である。
【図３】Ａ−Ａ拡大断面図である。
【図４】本発明の一部材の一部切欠き斜視図である。
【符号の説明】
【００３０】
１  細長板
２  無蓋箱
３  ハンガー腕
３ａ  本体
１０  有底細長孔
１１  バネ受入溝
２０  底板
２０ａ  下端面
２１  ねじ挿通孔
２２  透孔
２３  周壁
２４  スリット
２５  板バネ部
２６  第１の凸起
３０  段部
３１  爪部
３２  突部
３３  第２の凸起
３４  指掛け
【図１】
2008012145.tif 000003
【図２】
2008012145.tif 000004
【図３】
2008012145.tif 000005
【図４】
2008012145.tif 000006